(57)【特許請求の範囲】
【請求項１】
光導波路として作用するコア層の周囲をクラッド層で被覆した第１の光導波路フィルムと第２の光導波路フィルムとが、ベース基板の上面に配置されて、前記第１の光導波路フィルムの面とコア層の光路と前記第２の光導波路フィルムの面とコア層の光路が、前記ベース基板の上面に平行であり、前記コア層同士を光結合させる光導波路接続構造であって、
前記第１の光導波路フィルムが前記ベース基板の上面の法線に対して傾斜する傾斜面と、第１のコア層とを有し、該第１のコア層の一端部側で、その斜め断面が当該傾斜面から面一に露出し、
前記第２の光導波路フィルムが、前記ベース基板の上面の法線に対して傾斜する傾斜面と、第２のコア層とを有し、該第２のコア層の一端部側で、その斜め断面が当該傾斜面から面一に露出し、
前記第１の光導波路フィルムと前記第２の光導波路フィルムとが、前記傾斜面同士を相対向させて配置され、
前記第１のコア層及び前記第２のコア層の前記各斜め断面を含む前記傾斜面と前記ベース基板の上面との交線の方向に対して、前記第１のコア層の光路と前記第２のコア層の光路の方向が５度以下の角度を成す態様に形成されていて、
前記斜め断面同士が、前記ベース基板の上面から同一の高さ位置で対向配置されることで、前記第１のコア層と前記第２のコア層とが、光学的に結合されていることを特徴とする光導波路接続構造。
【請求項２】
請求項１記載の光導波路接続構造を有する光素子実装構造であって、
前記第１の光導波路フィルムの前記傾斜面から離れた部位に、前記ベース基板の上面の法線に対して傾斜する他の傾斜面を形成し、該他の傾斜面には、前記第１のコア層の他端部側の斜め断面も面一に含まれ、該他端部側の斜め断面で前記第１のコア層の光路を全反射させ、前記全反射させた光路の先に光素子を接続して前記第１の光導波路フィルムと前記光素子の一体化物を作成したことを特徴とする光素子実装構造。
【請求項３】
請求項２記載の光導波路接続構造を有する光素子実装構造であって、
前記光素子が下面に実装された光素子基板を有し、前記光素子基板の下に前記ベース基板の上面に平行なスペーサを前記光素子以外の場所に備え、前記スペーサの厚さは光素子の厚さと実質的に同じであり、前記スペーサの下に前記第１の光導波路フィルムを設置し、前記ベース基板の上に前記第２の光導波路フィルムを設置し、前記第２の光導波路フィルムの上面に前記スペーサの下面を突き当てたことを特徴とする光素子実装構造。
【請求項４】
請求項２記載の光導波路接続構造を有する光素子実装構造であって、
前記光素子が下面に実装された光素子基抜を有し、前記光素子基板の下に前記ベース基板の上面に平行なスペーサを前記光素子以外の場所に備え、前記スペーサの厚さは光素子の厚さと実質的に同じであり、前記スペーサの下に前記第１の光導波路フィルムを設置し、
前記ベース基板の上に前記第２の光導波路フィルムを設置し、前記第１の光導波路フィルムの下面を前記ベース基板の上面に突き当てたことを特徴とする光素子実装構造。
【請求項５】
請求項１記載の光導波路接続構造を有する光素子実装構造であって、
光素子が前記第１の光導波路フィルムの前記傾斜面から離れた部位であって、前記第１のコア層の他端部に接続され、かつ、前記第２の光導波路フィルムの前記傾斜面から離れた部位の前記第２のコア層が成す光導波路の幅をテーパ状に広げた部分を有し、該テーパ状に幅を広げた部分に、前記第２のコア層を光路方向で隔てる空間部を有し、前記空間部に上り隔てられる前記第２のコア層の光路方向の間隙は、前記第２のコア層の光軸から前記幅方向に離れるほど間隙が広がる構成になされていることを特徴とする光素子実装構造。
【発明の詳細な説明】
【０００１】
【発明の属する技術分野】
この発明は、光導波路接続構造及び光素子実装構造に係り、詳しくは、光導波路として作用するコア層の周囲をクラッド層で被覆した光導波路フィルムを複数用いて、互いのコア層同士を接続して光結合させる光導波路接続構造及び光素子実装構造に関する。
【０００２】
【従来の技術】
光を情報の伝送媒体として利用した光通信技術が広く普及してきている。このような光通信技術を実施するには、光電子基板上に発光素子、受光素子等の光素子を実装して、各光素子同士を光導波路を介して接続して光結合させた光モジュールが用いられている。このような光モジュールでは、光信号を減衰させることなく光導波路上を伝送させることが要求される。また、光モジュールを組み立てるには、予め光電子基板上に光導波路を形成した光導波路接続構造を製造して、この光導波路接続構造を用いて光素子を実装することが必要になる。
【０００３】
図２５は、従来の光導波路接続構造を用いて光素子を実装した光素子実装構造の構成を概略的に示す平面図である。同光素子実装構造は、同図に示すように、印刷配線板等から成るベース基板（光電子基板）１０１上には複数の光素子１０２が実装されて、各光素子１０２間は光導波路として作用する光ファイバー１０３を介して接続されている。必要に応じて、光ファイバー１０３の途中位置には光分配器１０４が接続されて、各光ファイバー１０３間で光信号の分配が行われるように構成されている。
【０００４】
上述の従来の光素子実装構造において、光ファイバー１０３の数は光素子１０２毎に少なくとも１つ以上は必要となるので、光ファイバー１０３の総数はかなりの数となる。したがって、多くの光素子１０２が必要とされる光素子実装構造では、光ファイバー１０３がベース基板１０１上に複雑に配置されようになる。
【０００５】
【発明が解決しようとする課題】
このように、従来の光導波路接続構造及び光素子実装構造では、光素子間を光結合させる光導波路として作用する光ファイバーの配置が複雑になるので、光導波路を安定に固定するのが困難である、という問題がある。
すなわち、従来の光導波路接続構造を用いた光素子実装構造では、図２５に示したように、光導波路として作用する光ファイバー１０３を多く必要とする場合には、光ファイバー１０３の固定が緩くなりがちであり、障害物に接触する等により外力が加わると、光ファイバー１０３が振動して破損され易くなり、光素子実装構造の信頼性が低下するようになる。このような欠点を改善するため、光ファイバーを予めベース基板に強固に固定しようとすると、光ファイバーと光素子との位置合わせが複雑になって光素子の取付け作業に手間がかかるようになる。
【０００６】
この発明は、上述の事情に鑑みてなされたもので、光導波路同士の接続を簡単に高精度で行うことができるようにした光導波路接続構造及び光素子実装構造を提供することを目的としている。
【０００７】
【課題を解決するための手段】
上記課題を解決するために、請求項１記載の発明は、光導波路として作用するコア層の周囲をクラッド層で被覆した第１の光導波路フィルムと第２の光導波路フィルムとが、ベース基板の上面に配置されて、前記第１の光導波路フィルムの面とコア層の光路と前記第２の光導波路フィルムの面とコア層の光路が、前記ベース基板の上面に平行であり、前記コア層同士を光結合させる光導波路接続構造に係り、前記第１の光導波路フィルムが前記ベース基板の上面の法線に対して傾斜する傾斜面と、第１のコア層とを有し、該第１のコア層の一端部側で、その斜め断面が当該傾斜面から面一に露出し、前記第２の光導波路フィルムが、前記ベース基板の上面の法線に対して傾斜する傾斜面と、第２のコア層とを有し、該第２のコア層の一端部側で、その斜め断面が当該傾斜面から面一に露出し、前記第１の光導波路フィルムと前記第２の光導波路フィルムとが、前記傾斜面同士を相対向させて配置され、前記第１のコア層及び前記第２のコア層の前記各斜め断面を含む前記傾斜面と前記ベース基板の上面との交線の方向に対して、前記第１のコア層の光路と前記第２のコア層の光路の方向が５度以下の角度を成す態様に形成されていて、前記斜め断面同士が、前記ベース基板の上面から同一の高さ位置で対向配置されることで、前記第１のコア層と前記第２のコア層とが、光学的に結合されていることを特徴としている。
【０００８】
また、請求項２記載の発明は、請求項１記載の光導波路接続構造を有する光素子実装構造に係り、前記第１の光導波路フィルムの前記傾斜面から離れた部位に、前記ベース基板の上面の法線に対して傾斜する他の傾斜面を形成し、該他の傾斜面には、前記第１のコア層の他端部側の斜め断面も面一に含まれ、該他端部側の斜め断面で前記第１のコア層の光路を全反射させ、前記全反射させた光路の先に光素子を接続して前記第１の光導波路フィルムと前記光素子の一体化物を作成したことを特徴としている。
【０００９】
また、請求項３記載の発明は、請求項２記載の光導波路接続構造を有する光素子実装構造に係り、前記光素子が下面に実装された光素子基板を有し、前記光素子基板の下に前記ベース基板の上面に平行なスペーサを前記光素子以外の場所に備え、前記スペーサの厚さは光素子の厚さと実質的に同じであり、前記スペーサの下に前記第１の光導波路フィルムを設置し、前記ベース基板の上に前記第２の光導波路フィルムを設置し、前記第２の光導波路フィルムの上面に前記スペーサの下面を突き当てたことを特徴としている。
【００１０】
また、請求項４記載の発明は、請求項２記載の光導波路接続構造を有する光素子実装構造に係り、前記光素子が下面に実装された光素子基抜を有し、前記光素子基板の下に前記ベース基板の上面に平行なスペーサを前記光素子以外の場所に備え、前記スペーサの厚さは光素子の厚さと実質的に同じであり、前記スペーサの下に前記第１の光導波路フィルムを設置し、  前記ベース基板の上に前記第２の光導波路フィルムを設置し、前記第１の光導波路フィルムの下面を前記ベース基板の上面に突き当てたことを特徴としている。
【００１１】
また、請求項５記載の発明は、請求項１記載の光導波路接続構造を有する光素子実装構造に係り、光素子が前記第１の光導波路フィルムの前記傾斜面から離れた部位であって、前記第１のコア層の他端部に接続され、かつ、前記第２の光導波路フィルムの前記傾斜面から離れた部位の前記第２のコア層が成す光導波路の幅をテーパ状に広げた部分を有し、該テーパ状に幅を広げた部分に、前記第２のコア層を光路方向で隔てる空間部を有し、前記空間部に上り隔てられる前記第２のコア層の光路方向の間隙は、前記第２のコア層の光軸から前記幅方向に離れるほど間隙が広がる構成になされていることを特徴としている。
【００２８】
【発明の実施の形態】
以下、図面を参照して、この発明の実施の形態について説明する。説明は、実施例を用いて具体的に行う。
◇第１実施例
図１は、この発明の第１実施例である光素子実装構造の構成を示す側面図、図２は同光素子実装構造の組み立てに用いる光導波路接続構造の構成を示す側面図、図３は図２のＡ−Ａ矢視断面図、図４は同光導波路接続構造における光導波路同士の結合状態を概略的に示す図、図５は同光導波路接続構造における光導波路結合角度と光強度との関係を示す図である。
この例の光素子実装構造１０は、図１に示すように、予め用意された光導波路接続構造５を用いて、光素子基板９上に接続された受光素子１１及び発光素子（面発光素子（VCSEL）等）１２等の光素子が実装されている。
【００２９】
上述の光導波路接続構造５は、図２及び図３に示すように、例えば樹脂、セラミック等から成る共通のベース基板４上に接着された、第１の光導波路フィルム１、第２の光導波路フィルム２及び第３の光導波路フィルム３を有し、これら第１〜第３の光導波路フィルム１〜３のそれぞれのコア層１ａ〜３ａが略同一高さとなるように接続されている。
【００３０】
第１の光導波路フィルム１は、図２及び図３に示すように、第１のコア層１ａの周囲がクラッド層１ｂで被覆され、一端部１Ａから他端部１Ｂに向かう光路方向（幅方向）Ｌに沿って第１のコア層１ａの縦断面がフイルム面に垂直な断面で全光路で露出されるように、ダイヤモンドカッター等で切断されている。第２の光導波路フィルム２は、コア層２ａの周囲がクラッド層２ｂで被覆され、一端部２Ａの側面の第１のコア層１ａの露出面に対向した位置で部分的に露出され、この露出部から途中部まで第１のコア層１ａの露出面に対して所定角度θ2だけ傾けて延在されると共に、途中部から他端部まで第１のコア層１ａの露出面に対して平行に延在されるように第２のコア層２ａが形成され、かつ他端部２Ｂにおいて厚さ方向（上下方向）Ｄに沿って略４５度で切断されて第２のコア層２ａに鏡面２ｃが形成されている。
【００３１】
第３の光導波路フィルム３は、第２の光導波路フィルム２と略同様に、コア層３ａの周囲がクラッド層３ｂで被覆され、一端部３Ａの側面の第１のコア層１ａの露出面に対向した位置で部分的に露出され、この露出部から途中部まで第１のコア層１ａの露出面に対して所定角度θ2だけ傾けて延在されると共に、途中部から他端部まで第１のコア層１ａの露出面に対して平行に延在されるように第３のコア層３ａが形成され、かつ他端部３Ｂにおいて厚さ方向（上下方向）Ｄに沿って略４５度で切断されて第３のコア層３ａに鏡面３ｃが形成されている。
【００３２】
第１の光導波路フィルム１の第１のコア層１ａは、厚さが８〜１２μｍ、幅が５０〜２００μｍに形成され、そのクラッド層１ｂは、厚さが１８〜２２μｍに形成されている。第２、第３の光導波路フィルム２、３の第２、第３のコア層２ａ、３ａの厚さ及び幅、各クラッド層２ｂ、３ｂの厚さも第１の光導波路フィルム１の各値と略同様に形成されている。また、各コア層１ａ〜３ａ、各クラッド層１ｂ〜３ｂは、例えば紫外線硬化性エポキシ樹脂が用いられている。
【００３３】
まず、第１の光導波路フィルム１のコア層１ａの側面の露出面に、第２の光導波路フィルム２の一端部２Ａの側面の第２のコア層２ａの露出面が、各コア層１ａ、２ａと略同じ屈折率を有する接着剤により接着されて、コア層の位置のフイルム面に垂直な方向の高さが略同一の高さ位置で接続される。次に、同様にして、第１の光導波路フィルム１のコア層１ａの他の位置の露出面に、鏡面２ｃ、３ｃ同士が対向する配置関係を維持して、第３の光導波路フィルム３の一端部３Ａの側面の第３のコア層３ａの露出面が、各コア層１ａ、３ａと略同じ屈折率を有する接着剤により接着されて、フイルム面に対し略同一の高さ位置で接続される。続いて、このように一体化された第１〜第３の光導波路フィルム１〜３は、予め配線層６、７が形成されているベース基板４上に接着されて光導波路接続構造５が完成される。
【００３４】
上述のような光導波路接続構造５を構成する場合、第１のコア層１ａに対する第２及び第３のコア層２ａ、３ａの接着は、幅方向では、光路方向に沿って幅広く露出している第１のコア層１ａに対して行うので、光路方向に沿ったどの位置でも接着できるため、高精度の位置合わせを要することなく行うことができる。また、厚さ方向では、略１μｍの位置合わせ精度が必要になるが、共通のベース基板４上に第１〜第３の光導波路フィルム１〜３を配置することにより第１〜第３のコア層１ａ〜３ａを略同一高さに維持して、第１のコア層１ａに対して第２、第３のコア層２ａ、３ａを接着するので、容易に上記位置合わせ精度を確保して行うことができる。すなわち、第１〜第３の光導波路フィルム１〜３下側の面のクラッド層１ｂ〜３ｂを略１μｍ以内のバラツキで製造して、各光導波路フィルム１〜３の下面を平坦なベース基板４に突き当てることにより、ベース基板を基準面として上記位置合わせ精度を確保することができる。
【００３５】
ここで、ベース基板面に予め配線層を形成したベース基板の上に光導波路フィルムを接着させる場合は、ベース基板の表面に配線層の厚さの凹凸が存在するので、下面のクラッド層の厚さの調整ではコア層の高さを合わせられない。この場合は、第１から第３の光導波路フィルム１〜３の上側の面のクラッド層１ｂから３ｂの厚さを略１μｍ以内のバラツキで製造する。そして、第１から第３の光導波路フィルム１〜３のベース基板に向ける下面には一定の厚さの接着剤を付着させ配線層付きベース基板上に設置し、その第１から第３の光導波路の上面を鏡面板に接しベース基板側と鏡面板側との両面から加圧することで、ベース基板に第１から第３の光導波路フィルムを接着させる。このようにして製造することで、ベース基板面に配線層による凹凸が存在していても、第１から第３の光導波路フィルム１〜３の上面のクラッド層が鏡面板を基準面として高さを合わせられることで、結局、コア層の高さを揃え一致させ、位置合わせ精度を確保することができる。
【００３６】
ここで、図４及び図５を参照して、第１の光導波路フィルム１の第１のコア層１ａに対する第２の光導波路フィルム２の第２のコア層２ａの結合角度について説明する。図４において、第１の光導波路フィルム１の第１のコア層１ａの側面（露出面）に対して、第２の光導波路フィルム２の第２のコア層２ａ（あるいは、第３の光導波路フィルム３の第３のコア層３ａ）は、角度θ１とθ２との平均値θ（＝（θ１＋θ２）／２）と、コア層１ａの厚みｄと、光の波長λに依存する以下の式で表される光のエネルギー密度（Ｉ）で分岐する。なお、符号Ｗはコア層２ａの露出面の幅を示し、符号Ａはその露出面の端部を示している。
Ω＝（２×λ）／（π×ｄ）                （１）
Ｉ＝ｅｘｐ（−２×（θ／Ω）2）           （２）
式（１）のΩは、第１の光導波路フィルム１の第１のコア層１ａの露出部（開口部）からの光の広がり角度を示し、一例としてｄ＝１０μｍ、λ＝１．３μｍとして計算すると、Ω≒０．０８２７ラジアン≒４．７度になる。
式（２）のＩは、一例としてθ＝２度として計算するとＩ≒０．７となり、θ＝６度として計算するとＩ≒０．０４となる。
以上の計算結果に基づいて、角度θ（横軸）と光強度（光のエネルギー密度（Ｉ））（縦軸）との関係を示すと、図５に示すようになる。同図から明らかなように、角度θ＝０度を中心として、角度θが正負方向に増加するほど光強度は低下するようになる。
【００３７】
したがって、角度θは、（波長λ／コア層の幅ｄ）程度の値である基準偏角（Ω）以上になると、光の分岐量が急速に低下する。そのため、角度θは基準偏角（Ω）以下の値に抑えることが望ましい。シングルモードの基準偏角（Ω）は先に計算したように５度程度になる。一方、マルチモードの光導波路ではコア層の幅が略５０μｍに大きくなるが、光導波路を伝送する光線の方向が多様になるため、その光の分岐量は式（１）、（２）では計算できないが、マルチモードの場合も、シングルモードの光導波路の略５度以下の角度θに抑えれば、所定の光分岐量が得られると考えられる。また、光の波長が長くなればそれに合わせて光導波路の幅ｄを広げられるので、基準偏角（Ω）はやはり５度程度になる。そのため、いずれにしろ角度θを略５度以下に抑えることが望ましい。
【００３８】
次に、図１を参照して、この例の光素子実装構造１０について説明する。
この例の光素子実装構造１０は、図１に示すように、配線層６、７を有するベース基板４上に形成された光導波路接続構造５を用いて、配線層１３、１４を介してそれぞれ受光素子１１及び面発光型の発光素子１２が接続された光素子基板９が、一方の光素子である受光素子１１が第２の光導波路フィルム２の第２のコア層２ａの鏡面２ｃに対向すると共に、他方の光素子である発光素子１２が第３の光導波路フィルム３の第３のコア層３ａの鏡面３ｃに対向するように配置され、それぞれバンプ１５、１６を介して実装されている。
【００３９】
上述したような光素子実装構造１０を組み立てるには、光導波路接続構造５が形成されているベース基板４の上方に光素子基板９を配置して、まず光素子基板９の受光素子１１及び発光素子１２をそれぞれ、ベース基板８上の第２のコア層２ａの鏡面２ｃ及び第３のコア層３ａの鏡面３ｃの直上に位置合わせする。次に、ベース基板８を加熱処理してバンプ１５、１６を溶融させることにより、光素子基板９をベース基板８上に固定して光素子実装構造１０を完成させる。
ここで、光素子部品と光導波路の間に透明接着剤を充填して両者の空間の屈折率を光導波路の屈折率と同じにすることで、異なる屈折率の媒体の界面での光反射効果を軽減させるようにしても良い。
上述のように受光素子１１及び発光素子１２を位置合わせするにあたっては、ベース基板４上の配線層６、７に予め各光導波路フィルム１〜３の設置位置の導体パターンを含む導体パターンを形成しておいて、この導体パターン間に各光導波路フィルム１〜３をまず位置合わせし、続いて受光素子１１及び発光素子１２のバンプ１５、１６をその導体パターンに位置合わせする。
【００４０】
ここで、光素子基板９の受光素子１１及び発光素子１２の表面にマイクロレンズを設置して、第２のコア層２ａの鏡面２ｃ及び第３のコア層３ａの鏡面３ｃにそれぞれ、送受光を平行に投影するようにしても良い。あるいは、第２のコア層２ａの鏡面２ｃ及び第３のコア層３ａの鏡面３ｃの表面にマイクロレンズを設置して、受光素子１１及び発光素子１２のそれぞれの送受光窓と鏡面２ｃ、３ｃを互いに投影するようにしても良い。このように、マイクロレンズを設置することにより、光導波路接続構造１０上の第２及び第３のコア層２ａ、３ａと空間を介して光結合される受光素子１１に入射される入射光、及び発光素子１２から出射される出射光の広がりを防止することができるようになる。
また、各コア層２ａ、３ａの各鏡面２ｃ、３ｃに対して、受光素子１１及び発光素子１２を十分に接近させて実装できるので、光送受の損失を抑えることができる。
【００４１】
上述したように、この例によれば、次のような効果を得ることができる。
第１に、光路方向に沿って第１のコア層１ａの縦断面が露出されるように切断した第１の光導波路フィルム１、第１のコア層１ａの露出面に対向した位置でコア層の光路方向に対して略５度以下の角度θ度の断面で部分的に露出されるように第２のコア層２ａが形成された第２の光導波路フィルム２及び第１のコア層１ａの露出面に対向した位置で部分的に露出されるように第３のコア層３ａが形成された第３の光導波路フィルム３を用意して、ベース基板４上で各コア層１ａ〜３ａの露出面同士を基準面に対して略同一高さに維持して接続して光導波路接続構造５を構成しているので、光導波路同士の光結合を簡単に高精度で行うことができる。
第２に、上述したように、各コア層１ａ〜３ａの露出面同士を略同一高さに維持して接続するので、光導波路として作用する各コア層１ａ〜３ａに凹凸の発生が少なくなり、外力により力を受けることが少なくなるため、光導波路が損傷することがほとんどなくなる。
第３に、上述のような光導波路接続構造５を用いて、第２及び第３の光導波路フィルム２、３の光導波路として作用する第２及び第３のコア層２ａ、３ａと非接触で光送受を行うように、受光素１１、発光素子１２等の光素子を実装して光素子実装構造１０を組み立てるので、ベース基板４上へ光素子を容易に実装することができる。
【００４２】
◇第２実施例
図６は、この発明の第２実施例である光素子実装構造の構成を示す正面図、図７は同光素子実装構造の構成を示す側面図である。この第２実施例の光素子実装構造の構成が、上述の第１実施例のそれと大きく異なるところは、光素子基板側にも光導波路フィルムを配置して、共に光導波路フィルムを配置したベース基板と光素子基板とを突き当てて光素子を実装するようにした点である。
すなわち、この例の光素子実装構造２０は、図６及び図７に示すように、第１の光導波路フィルム１が接着されたベース基板４と、スペーサ１８を介して第２の光導波路フィルム２及び第３の光導波路フィルム３（図示せず）が接着された光素子基板９とが、各コア層１ａ、２ａがベース基板面に対する垂直面同士で対向するように、第１の光導波路フィルム１が光素子基板９のスペーサ１８の表面に突き当てられるか、あるいは、第２の光導波路フィルム２がベース基板４の表面に突き当てられて組み立てられている。光素子１９はスペーサ１８間の光電子基板９上に接続されている。
【００４３】
この例では、光結合させる第１のコア層１ａの露出面と第２のコア層２ａの露出面は、第１実施例と同じくコア層の光路方向から略５度以下の緩い傾斜の断面であるが、その露出面の接続は、接着剤により接着しても、あるいは単に押しつけにより接触させただけでも良い。各コア層１ａ〜３ａの露出面端部は鏡面に形成されているので、接触されているだけでも、十分な光結合を行わせることができる。特に、接触させただけの場合は、部品交換上で有利となる利点が得られる。
各光導波路フィルム１ａ〜３ａの厚さ方向の位置合わせのため、第１の光導波路フィルム１ａの上側のクラッド層の厚さをスペーサ１８の表面に接着した第２、第３の光導波路フィルム２ａ、３ａの素子基板側のクラッド層の厚さを同じに形成する。スペーサ１８を基準面板として、その表面に第１の光導波路フィルム１を付き当てるだけで、厚さ方向の位置合わせを容易に行うことができる。また、第１の光導波路フィルム１を接着したベース基板４の上面に、第２、第３の光導波路フィルム２、３を突き当てることで、各光導波路フィルムの高さを合わせるようにしても良い。
【００４４】
また、第１の光導波路は、光導波路フィルムに限定されず、ベース基板上に直接に光導波路を構成する樹脂をスピンコートして第１の光導波路を形成し、そのコア層を露出する。光路に対する緩い傾斜の断面はダイヤモンドカッターで形成し、また、余分な光導波路の部分は紫外線レーザによるアブレーション加工で除去しても良い。同様に、第２の光導波路もスピンコート法で光導波路基板上に形成し、その第２の光導波路の各断面をダイヤモンドカッターあるいは紫外線レーザのアブレーション加工で形成しても良い。
【００４５】
また、この例は、第１の光導波路フィルム１が接着されたベース基板４と、スペーサ１８を介して第２の光導波路フィルム２及び第３の光導波路フィルム３が接着された光素子基板９とが、各コア層が対向するように、第１の光導波路フィルム１が光素子基板９のスペーサ１８の表面に突き当てられると共に、第２の光導波路フィルム２がベース基板４に表面に突き当てられて組み立てられているので、ベース基板４上へ光素子を容易に実装することができる。
【００４６】
◇第３実施例
図８は、この発明の第３実施例である光素子実装構造の構成を示す平面図、図９は図８のＢ−Ｂ矢視断面図、図１０は同光素子実装構造の構成を示す側面図である。この第３実施例の光素子実装構造の構成が、上述の第２実施例のそれと大きく異なるところは、光導波路フィルムのコア層を傾斜面同士で対向させるようにした点である。
すなわち、この例の光素子実装構造２５は、図８〜図１０に示すように、第１の光導波路フィルム１が接着されたベース基板４と、スペーサ１８を介して第２の光導波路フィルム２及び第３の光導波路フィルム３（図示せず）が接着された光素子基板９とが、各コア層１ａ、２ａが傾斜面同士で対向するように、第１の光導波路フィルム１が光素子基板９のスペーサ１８の表面に突き当てられると共に、第２の光導波路フィルム２がベース基板４に表面に突き当てられて組み立てられている。
また、第１の光導波路フィルム１は、そのコア層１ａの一端を横断面で露出させ、その断面に露出したコア層を導波路型光素子１９の発光窓あるいは受光窓に向かい合わせて光結合している。
【００４７】
この例では、図９からも明らかなように、各コア層１ａ、２ａの露出面は第１実施例と同様に、コア層の光路方向から略５度以内の緩い傾斜の断面であるが、その断面はベース基板４面からも傾斜面を成す断面とした傾斜面同士で対向しているので、第１の光導波路フィルム１のコア層１ａの露出面と、第２の光導波路フィルム２のコア層２ａの露出面の面積が大きくなる。そして、上方から観察することにより、位置を確認した上で両コア層１ａ、２ａの露出面を重ね合わせて位置合わせすることができる。したがって、位置合わせ精度を確認しながら両コア層１ａ、２ａを位置合わせできるので、位置合わせ精度に余裕が生まれ、また部品の加工精度にも余裕を持たせることができる。
その他、各光導波路フィルム１ａ〜３ａの厚さ方向の位置合わせについては、第２実施例と略同様に行うことができる。
【００４８】
このように、この例によっても、第２実施例において述べたのと略同様な効果を得ることができる。
加えて、この例によれば、各コア層の露出面を上方から観察して位置を確認しながら位置合わせを行えるので、余裕を持って正確な位置合わせを行うことができる。
【００４９】
◇第４実施例
図１１は、この発明の第４実施例である光素子実装構造の構成を示す平面図、図１２は同光素子実装構造の構成を示す正面図である。この第４実施例の光素子実装構造の構成が、上述の第１実施例のそれと大きく異なるところは、光素子をベース基板に直接に実装するようにした点である。また、この第４実施例では、この発明の特徴である光導波路同士をその光路方向から略５度以下の緩い傾斜を持たせた断面で切断してコア層を露出させ、その断面を有する光導波路フイルム同士を共通の基準面上に設置することでコア層の高さを合わせ、またその断面のコア層同士を重ねたことで光結合をとるという特徴を、より一般的な形で示している。
すなわち、この例の光素子実装構造３０は、図１１及び図１２に示すように、ベース基板４上の第１の光導波路フィルム１の一端部１Ａにおいてコア層１ａに導波路型の光素子１９が接着される一方、光路方向に沿って形成した傾斜面２２の途中部１Ｃにおいてコア層１ａが傾斜部の方向に略５度以下の角度で交差し、その断面にコア層１ａの断面を露出させる。交差する角度を略５度以下にすると、第１実施例と同様に、断面で接する他の光導波路からの分岐する光量が十分得られる効果があると共に、その断面の長さが横断面の略１１倍に拡大されるので、その方向での断面同士の位置合わせの交差を、略１桁緩くできる効果がある。
同様に、第２の光導波路フィルム２の一端部２Ａにおいてコア層２ａに導波路型の光素子１９が接着される一方、光路方向に沿って形成した傾斜面２３の途中部２Ｃにおいてコア層２ａが傾斜部の方向に略５度以下の角度で交差し、その断面にコア層２ａの断面を露出させる。そして、各コア層１ａ、２ａの露出面同士が矢印のように接着されて組み立てられている。
【００５０】
また、この例では、導波路型の光素子１９に光導波路フィルム２を接着した例を図示したが、この発明では導波路型の光素子１９に限定されず、光素子１９が面発光素子（VCSEL）あるいは面受光タイプの光素子１９の場合は、第２実施例の図７のような構造で、ただし、スペーサ１８や光素子基板９を除き、光導波路フィルム２を、そのコア層２ａの端部で厚さ方向に沿って略４５度で切断して鏡面を形成し、その鏡面の全反射により略直角方向に折り返した光路の先の光導波路フィルム２の表面に光素子１９の発光面あるいは受光面を接着する。
【００５１】
このように、この例によれば、第１の光導波路フィルム１と一体化された光素子１９と、第２の光導波路フィルム２と一体化された光素子１９とを、ベース基板４上で直接に光結合させることができるので、簡単な光素子実装構造を組み立てることができる。
【００５２】
◇第５実施例
図１３は、この発明の第５実施例である光素子実装構造に用いられる光導波路接続構造の構成を示す平面図、図１４は同光導波路接続構造の構成を示す側面図である。この第５実施例の光導波路接続構造の構成が、上述の第１実施例のそれと大きく異なるところは、一対の光導波路フィルムと他の光導波路フィルムとを組み合わせて、光導波路の光路方向を略直角方向に曲げるようにした点である。
すなわち、この例の光導波路接続構造２８は、図１３及び図１４に示すように、ベース基板４上に、一端部１Ａから光路方向に延在するコア層１ａが光路方向に沿って略５度の緩い角度で形成した傾斜面２２の途中部１Ｃにおいて、緩い傾斜角度の斜めの断面が露出されている第１の光導波路フィルム１が一対、互いに略直角にずれるように配置され、一方の第１の光導波路フィルム１に対向する第１直線辺２６Ａ及び他方の第１の光導波路フィルム１に対向する第２直線辺２６Ｂが一体化され、一対の光導波路フィルム１の各傾斜面２２に対応して傾斜面２４が形成され、各傾斜面２４の途中部２Ｃにおいてコア層２ａが緩い傾斜の断面が露出されている第２の光導波路フィルム２が配置されて構成されている。そして、一対の第１のコア層１ａと、中間の第２のコア層２ａの露出面同士を接続することにより光結合させる。
【００５３】
ここで、第２の光導波路フィルム２の第２のコア層はシングルモードの光導波路の場合は略１０μｍの幅のストリップライン形状に形成する。そして、その光路はそのコア層の幅の略５００倍以上の半径の曲率で徐々に曲げて進路を変え、略５ｍｍの曲率半径で進路を変える。
【００５４】
この例によれば、隣接して配置されている光導波路の間で、光路方向を略直角方向に変換させる用途に適用することにより、一方の第１の光導波路フィルム１のコア層１ａを伝播してきた光信号は第２の光導波路フィルム２のコア層２ａの作用により、その光路方向が略直角方向に変換されて他方の第２の光導波路フィルム２のコア層２ａに伝播される。
【００５５】
この場合、第１の光導波路フィルム１のコア層１ａの露出面と、第２の光導波路フィルム２のコア層２ａの露出面との接続は、第１実施例で説明した光導波路接続構造５の場合と略同様に行うことで、位置合わせを容易に行うことができる。すなわち、上述のコア層１ａ、２ａの露出面同士の接続は、厚さ方向では、略１μｍの位置合わせ精度が必要になるが、第１のコア層１ａの光路方向と緩い傾斜角度（△θ）をなす露出面では、以下に説明するように位置合わせ精度が緩和される。
【００５６】
すなわち、両コア層１ａ、２ａの露出面同士を接触させる位置合わせの誤差は、その位置合わせ面内の２方向にのみ生じるが、各光導波路フィルム１、２の位置合わせは、第１実施例で説明したように、ベース基板４上に略同じ厚さの光導波路フィルムを配置することで容易に実現できる。
また、光導波路フィルム１、２の切断線に沿った方向では、必要な位置合わせ精度は、（１／△θ）となる。一例として、△θ＝１／２００の場合は、その方向の位置合わせ精度は略２００μｍに緩和される。この精度では、第１の光導波路フィルム１と第２の光導波路フィルム２とベース基板４との位置合わせは容易に実現することができる。
【００５７】
このように、この例の光導波路接続構造２８によれば、一端部１Ａから光路方向に延在するコア層１ａが部分的に露出されている第１の光導波路フィルム１が一対、互いに略直角にずれるように配置され、第１の光導波路フィルム１の各傾斜面２２に対応して傾斜面２４が形成され、各傾斜面２４の途中部２Ｃにおいて部分的にコア層２ａが略５度の緩い傾斜の断面で露出されている第２の光導波路フィルム２が配置されて、各コア層１ａ、２ａの露出面同士が接続されるので、コア層１ａを伝播してきた光信号の光路方向を容易に略直角方向に変換することができる。
【００５８】
◇第６実施例
図１５は、この発明の第６実施例である光素子実装構造に用いられる光導波路接続構造の構成を示す平面図、図１６は同光導波路接続構造の構成を示す側面図である。この第６実施例の光導波路接続構造の構成が、上述の第５実施例のそれと大きく異なるところは、中間の光導波路フィルムに光路を全反射して折り返す鏡面を形成して、この鏡面に入射し出射する光信号の光導波路を形成するようにした点である。
すなわち、この例の光導波路接続構造３３は、図１５及び図１６に示すように、一対の第１の光導波路フィルム１の中間に配置される第２の光導波路フィルム３２の、光信号を入射させかつ出射させる光導波路として作用するコア層３２ａの途中位置において、光信号を全反射させる鏡面３２ｃが形成されている。
このように、鏡面３２ｃを利用して光信号を全反射させて光路方向を変換させる場合には、第５実施例のようにコア層を緩い半径の曲率で方向変換させる必要がないので、第２の光導波路フィルム３２の寸法を小さくすることができる。
【００５９】
すなわち、第５実施例においては、損失を少なくして光信号を折り返す場合には、ストリップライン形状の光導波路フィルムをストリップライン形状の幅の略５００倍以上の半径の曲率で徐々に曲げて光路を変換する必要がある。そのため、例えばシングルモードの光導波路フィルムを用いて、ストリップライン形状の幅寸法を略１０μｍとした場合には、光路方向を曲げるには略５ｍｍの半径の曲率が必要になり、第２の光導波路フィルム２は、そのストリップライン形状の曲部を収納する寸法以上に大きくする必要があった。したがって、第５実施例では第２の光導波路フィルム２の寸法を大きくとらざるを得なかった。
この点で、この例では、中間の第２の光導波路フィルム３２の途中位置に、鏡面３２ｃを形成してこの鏡面３２ｃを利用して光信号を全反射させて光路方向を変換させるので、第２の光導波路フィルム３２の寸法は略５ｍｍ以下にすることができるため、この第２の光導波路フィルム３２の寸法を小さくできる。
【００６０】
このように、この例の光導波路接続構造３３によれば、一対の第１の光導波路フィルム１の中間に配置される第２の光導波路フィルム３２の、光信号を入射させかつ出射させる光導波路として作用するコア層３２ａの途中位置において、光信号を全反射させる鏡面３２ｃを形成して、この鏡面３２ｃを利用して光信号を全反射させて光路方向を変換させるので、第２の光導波路フィルムの寸法を大きくすること光路方向の変換を行うことができる。
【００６１】
◇第７実施例
図１７は、この発明の第７実施例である光素子実装構造の構成を示す平面図である。この第７実施例の光素子実装構造の構成が、上述の第１実施例のそれと大きく異なるところは、共に光素子を実装した光導波路フィルムを配置したベース基板間を、他の光導波路フィルムにより一体に接続するようにした点である。
すなわち、この例の光素子実装構造３５は、図１７に示すように、受光素子１１及び発光素子１２がコア層１ａに接着された第１の光導波路フィルム１が配置された第１のベース基板４が一対用意されると共に、第２の光導波路フィルム２が用意されて、両ベース基板４間は、第１のコア層１ａの露出面と第２のコア層２ａとの露出面とがコア層の光路方向から略５度以下の傾斜面で形成され、両者が位置合わせされて一体に組み立てられている。
この場合、突き当て板３６により、コア層１ａ、２ａの露出面同士を突き当てて、位置合わせを容易にすることができる。なお、位置合わせには、接着剤により接着するか、あるいは加圧して単に接触させるだけでも良い。
【００６２】
ここで、第２の光導波路フィルム２の上面に予め光導波路の高さ合わせの基準面となる鏡板を貼り付けても良い。この鏡板は、第２の光導波路フィルムと接続する第１の光導波路フィルム１の接合部を覆い、第１の光導波路フィルム１の上表面にも突き当たる形状に形成する。この鏡板が基準面板となり第１の光導波路フィルム１に付き当てられることで、鏡板に貼り付られた第２の光導波路フィルム２の高さが合わせられる。
【００６３】
このように、この例の光素子実装構造３５によれば、光素子がコア層１ａに接着された第１の光導波路フィルム１が配置された両ベース基板４間を、第２の光導波路フィルム２を用いてコア層１ａ、２ａの露出面同士を位置合わせした一体化するようにしたので、両ベース基板４間の光導波路フィルム１の光結合を簡単にとることができる。
【００６４】
◇第８実施例
図１８は、この発明の第８実施例である光素子実装構造の構成を示す平面図、図１９は同光素子実装構造の構成を示す側面図である。この第８実施例の光素子実装構造の構成が、上述の第７実施例のそれと大きく異なるところは、第２の光素子フィルムの内部にレンズ機能を有する空間部を設けるようにした点である。
すなわち、この例の光素子実装構造４０は、図１８に示すように、受光素子１１及び発光素子１２がコア層１ａに接着された第１の光導波路フィルム１が配置された第１のベース基板４間は、内部にレンズ機能を有する空間部３７が設けられた第２の光導波路フィルム３８が用いられて、第１のコア層１ａの露出面と第２のコア層２ａとの露出面とがコア層の光路方向から略５度以下の傾斜面で形成され、両者が位置合わせされて一体に組み立てられている。
【００６５】
第２の光導波路フィルム３８のコア層３８ａは、内部に光速を広げるための幅広部３８ｄが形成されている。この幅広部３８ｄの両端位置に、通常のコア層の幅を（ｗ１）とすると、幅をテーパ状に広げてこれを幅広部３８ｄの幅（ｗ２）にする。そのテーパ部の長さＬｔは、
Ｌｔ≧ｗ１×ｗ２×π／（４×λ）          （３）
但し、λは光導波路を伝送する光の波長である。
式（３）に、一例としてλ＝１．３μｍの場合で、通常のコア層の幅ｗ１＝１０μｍ、幅広部３８ｄの幅ｗ２＝１００μｍとして計算すると、Ｌｔ≧０．６ｍｍが得られる。
そして、テーパ部と幅広部３８ｄの接続部に空間部３７を設ける。この空間部３７は間隔が１０〜１００μｍとし、空間の形状が円筒凹レンズ状の界面を成すように形成する。これら空間部３７が成す円筒凹レンズのそれぞれの曲率半径をＲ１、Ｒ２とすると、以下の式を満足する値となるように設定する。
（（１／Ｒ１）＋（１／Ｒ２））＝
（４×λ）／（（Ｎ−１）×π×ｗ１×ｗ２））      （４）
但し、Ｎは光導波路の屈折率である。
（一般的に用いられるポリイミドの場合、Ｎ＝１．５となる）
式（４）に、一例としてＮ＝１．５、ｗ１＝１０μｍ、ｗ２＝１００μｍとして計算すると、（（１／Ｒ１）＋（１／Ｒ２））＝１／０．３ｍｍが得られる。
したがって、空間部３７の両面の曲率半径Ｒ１＝Ｒ２＝０．６とする解が得られる。
【００６６】
上述の構成により、一方の第１の光導波路フィルム１のコア層１ａから第２の光導波路フィルム３８のコア層３８ａに矢印のように伝播した光信号は、例えば図示の左側の空間部３７に達すると、この空間部３７のレンズ機能により平行光束に変換されて、幅広部３８ｄを通じて右側の空間部３７に伝播される。そして、この右側の空間部３７のレンズ機能により再びもとの光束に変換されて、他方の第１の光導波路フィルム１のコア層１ａに伝播される。
このように、光束を一度空間部３７に引き出すことにより、光導波路フィルム１、２のコア層１ａ、２ａに異物が混入されている場合には、これらの異物の影響を避けることができるようになる。したがって、光の減衰を少なくすることができ、光伝送を高品質で行わせることができる。
【００６７】
このように、この例の光素子実装構造４０によれば、光素子がコア層１ａに接着された第１の光導波路フィルム１が配置された両ベース基板４間を、内部にレンズ機能を有する空間部３７を設けた第２の光導波路フィルム３８を用いて、コア層１ａ、２ａの露出面同士を位置合わせして一体化するようにしたので、空間部３７により光の減衰を少なくして、高品質の光伝送をわせることができる。
【００６８】
◇第９実施例
図２０は、この発明の第９実施例である光ファイバー実装構造の構成を示す斜視図、図２１は同実装構造を示す平面図、図２２は同実装構造を示す正面図、図２３は同実装構造を示す側面図、図２４は同実装構造を示す側面図である。
すなわち、この例の光ファイバー実装構造４１は、図２０〜図２４に示すように、コア層４２ａの一端部が側面４２Ｄで露出されると共に、その他端部がフイルム表面４２ｂと略５度以内の角度を成す斜面４２Ｅに露出されるように形成された光導波路フィルム４２と、コア層４３Ａの周囲がクラッド層４３Ｂで被覆され、コア層４３Ａが露出されるように形成された斜面４３Ｃを有する光ファイバー４３とが用意されて、コア層４２ａの斜面４２Ｅの露出面とコア層４３Ａの斜面４３Ｃの露出面とが位置合わせされて一体に構成されている。
この場合、位置合わせは、接着剤により接着して接続することにより、光導波路フィルム付き光ファイバーを構成する。
【００６９】
上述のようにして得られた光導波路フィルム付き光ファイバーは、他の光導波路フィルムと接続することにより光結合させる。
上述のように、互いに斜面４２Ｅ、４３Ｃを形成してそれぞれのコア層４２ａ、４３Ａを露出させるようにすれば、付き光ファイバーあるいは光導波路接続構造４１は、各斜面４２Ｅ、４３Ｃの形成が高精度で加工できるので、形状の異なる光導波路フィルム４２と光ファイバー４３とを数μｍの精度で一体化することができる。
【００７０】
このように、この例の光ファイバー実装構造４１によれば、光導波路フィルム４２と光ファイバー４３とを用意して、互いに斜面４２Ｅ、４３Ｃで露出したコア層４２ａ、４３Ａを接続して光結合させるようにしたので、容易に光導波路フィルム付き光ファイバーを形成することができる。
【００７１】
以上、この発明の実施例を図面により詳述してきたが、具体的な構成はこの実施例に限られるものではなく、この発明の要旨を逸脱しない範囲の設計の変更などがあってもこの発明に含まれる。例えば、第２及び第３の光導波路フィルムを共に用いる例で説明したが、実装するいずれか一方の光素子が不要な場合、例えば発光素子が不要な場合は、これに対応した第３の光導波路フィルムを省略することができる。また、光導波路フィルムを構成する各コア層、各クラッド層の材料は、膜厚、屈折率等の所定の条件を満たすものであれば、紫外線硬化性エポキシ樹脂に限ることなく、熱硬化性樹脂、ポリイミドフィルム等の他の材料を用いるようにしても良い。また、各コア層、各クラッド層の幅、厚さ等の寸法は一例を示したものであり、必要に応じて変更することができる。
また、複数の光導波路フィルムの各コア層の露出面同士を光結合させるには、接着剤により露出面同士を接着する以外に、加圧により露出面同士を接触させるようにしても良い。
【００７２】
【発明の効果】
以上説明したように、この発明の光導波路接続構造及び光素子実装構造によれば、光路方向に沿って略５度以下の緩やかな傾斜の断面で第１のコア層が露出されるように切断した第１の光導波路フィルムと、一端部の側面の第１のコア層の露出面に対向した位置でコア層の光路から略５度以下の緩やかな傾斜の断面で第２のコア層が形成された第２の光導波路フィルムとを有し、第１のコア層と第２のコア層を基準面に対して略同一の高さ位置で接続するようにしたので、光伝送を行う光導波路を安定に固定することができる。
したがって、光導波路同士の光結合を簡単に高精度で行うことができる。
【図面の簡単な説明】
【図１】この発明の第１実施例である光素子実装構造の構成を示す側面図である。
【図２】同光素子実装構造の組み立てに用いる光導波路接続構造の構成を示す側面図である。
【図３】図１２Ａ−Ａ矢視断面図である。
【図４】同光導波路接続構造における光導波路同士の結合状態を概略的に示す図である。
【図５】同光導波路接続構造における光導波路結合角度と光強度との関係を示す図である。
【図６】この発明の第２実施例である光素子実装構造の構成を示す正面図である。
【図７】同光素子実装構造の構成を示す側面図である。
【図８】この発明の第３実施例である光素子実装構造の構成を示す平面図である。
【図９】図８のＢ−Ｂ矢視断面図である。
【図１０】同光素子実装構造の構成を示す側面図である。
【図１１】この発明の第４実施例である光素子実装構造の構成を示す平面図である。
【図１２】同光素子実装構造の構成を示す正面図である。
【図１３】この発明の第５実施例である光素子実装構造に用いられる光導波路接続構造の構成を示す平面図である。
【図１４】同光導波路接続構造の構成を示す側面図である。
【図１５】この発明の第６実施例である光素子実装構造に用いられる光導波路接続構造の構成を示す平面図である。
【図１６】同光導波路接続構造の構成を示す側面図である。
【図１７】この発明の第７実施例である光素子実装構造の構成を示す平面図である。
【図１８】この発明の第６実施例であるモジュールの実装方法の構成を示す断面図である。
【図１９】同光モジュールの実装方法に用いられる光導波路端子付き光素子チップ構造を示す平面図である。
【図２０】この発明の第９実施例である光ファイバー実装構造の構成を示す斜視図である。
【図２１】同光ファイバー実装構造を示す平面図である。
【図２２】同光ファイバー実装構造を示す正面図である。
【図２３】同光ファイバー実装構造を示す側面図である。
【図２４】同光ファイバー実装構造を示す側面図である。
【図２５】従来の光導波路接続構造を用いた光素子実装構造の構成を概略的に示す平面図である。
【符号の説明】
１、２、３、３２、３８、４２      光導波路フィルム
１ａ、２ａ、３ａ、３２ａ、４２ａ、４３Ａ      コア層
１ｂ、２ｂ、３ｂ、４２ｂ、４３Ｂ      クラッド層
２ｃ、３ｃ、３２ｃ      鏡面
２Ａ、３Ａ      一端部
３Ｂ、３Ｂ      他端部
４      ベース基板（光電子基板）
５、２８、３３      光導波路接続構造
６、７、１３、１４      配線層
９      光素子基板
１０、２０、２５、３０、３５、４０      光素子実装構造
１１      受光素子
１２      発光素子
１５、１６      バンプ
１８    スペーサ
１９      光素子
２２、２３、２４      傾斜面
２６Ａ、２６Ｂ      直線辺
３６      突き当て板
３７      空間部
４１      光ファイバー実装構造
４２Ｄ      側面
４２Ｅ、４３Ｃ      斜面
４３      光ファイバー
【図１】
0004752092.tif 000002
【図２】
0004752092.tif 000003
【図３】
0004752092.tif 000004
【図４】
0004752092.tif 000005
【図５】
0004752092.tif 000006
【図６】
0004752092.tif 000007
【図７】
0004752092.tif 000008
【図８】
0004752092.tif 000009
【図９】
0004752092.tif 000010
【図１０】
0004752092.tif 000011
【図１１】
0004752092.tif 000012
【図１２】
0004752092.tif 000013
【図１３】
0004752092.tif 000014
【図１４】
0004752092.tif 000015
【図１５】
0004752092.tif 000016
【図１６】
0004752092.tif 000017
【図１７】
0004752092.tif 000018
【図１８】
0004752092.tif 000019
【図１９】
0004752092.tif 000020
【図２０】
0004752092.tif 000021
【図２１】
0004752092.tif 000022
【図２２】
0004752092.tif 000023
【図２３】
0004752092.tif 000024
【図２４】
0004752092.tif 000025
【図２５】
0004752092.tif 000026